【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
複数の不織布の積層体からなるマスクであって、表層の不織布が、目付け重量８〜２００ｇ／ｍ２のポリオレフィンまたはポリエステルを素材とする不織布であり、かつ表面にチタンアパタイト光触媒を０．５〜１０ｇ／ｍ２添着させたものであることを特徴とする感染予防マスク。
【請求項２】
表層の不織布が、目付け重量８〜３０ｇ／ｍ２のＳＭＳまたはＳＭＭＳポリプロピレン不織布であることを特徴とする請求項１に記載の感染予防マスク。
【請求項３】
表層の不織布が、目付け重量９〜１００ｇ／ｍ２のスパンボンドポリプロピレン不織布であることを特徴とする請求項１に記載の感染予防マスク。
【請求項４】
表層の不織布が、目付け重量２０〜２００ｇ／ｍ２のサーマルボンド不織布であって、その構成繊維がポリエステル、または構成繊維の鞘部がポリエチレン、芯部がポリプロピレンからなる複合繊維であることを特徴とする請求項１に記載の感染予防マスク。
【請求項５】
表層の不織布が、目付け重量５〜３０ｇ／ｍ２のメルトブローポリプロピレン不織布であることを特徴とする請求項１に記載の感染予防マスク。
【請求項６】
保護層として、目付け重量１０〜３０ｇ／ｍ２のスパンボンドポリプロピレン不織布を表層上に設けたことを特徴とする請求項１〜５のいずれか１項に記載の感染予防マスク。
【請求項７】
内層の不織布が、帯電処理を施した目付け重量１０〜６０ｇ／ｍ２のメルトブローポリプロピレン不織布を単数または複数使用したことを特徴とする請求項１〜６のいずれか１項に記載の感染予防マスク。
【請求項８】
補強支持体層として、マスクの内層部分に目付け重量５０〜２００ｇ／ｍ２のサーマルボンドポリエステル不織布、または構成繊維の鞘部がポリエチレン、芯部がポリプロピレンからなる複合繊維のサーマルボンド不織布を設けたことを特徴とする請求項１〜７のいずれか１項に記載の感染予防マスク。
【請求項９】
チタンアパタイト光触媒をエマルジョン型アクリル樹脂、ＳＢＲ樹脂またはシラン化合物をバインダーとして用いて表層不織布に添着させたことを特徴とする請求項１〜８のいずれか１項に記載の感染予防マスク。
【請求項１０】
形状が折り畳み型、カップ型あるいはフラット型であることを特徴とする請求項１〜９のいずれか１項に記載の感染予防マスク。
【手続補正２】
【補正対象書類名】明細書
【補正対象項目名】０００８
【補正方法】変更
【補正の内容】
【０００８】
すなわち、本発明の第１の発明によれば、複数の不織布の積層体からなるマスクであって、表層の不織布が、目付け重量８〜２００ｇ／ｍ２のポリオレフィンまたはポリエステルを素材とする不織布であり、かつ表面にチタンアパタイト光触媒を０．５〜１０ｇ／ｍ２添着させたものであることを特徴とする感染予防マスクが提供される。
【手続補正３】
【補正対象書類名】明細書
【補正対象項目名】００１６
【補正方法】変更
【補正の内容】
【００１６】
また、本発明の第９の発明によれば、第１〜８のいずれかの発明において、チタンアパタイト光触媒をエマルジョン型アクリル樹脂、ＳＢＲ樹脂またはシラン化合物をバインダーとして用いて表層不織布に添着させたことを特徴とする感染予防マスクが提供される。
【手続補正４】
【補正対象書類名】明細書
【補正対象項目名】００１９
【補正方法】変更
【補正の内容】
【００１９】
以下に本発明のマスクを構成する表層、内層、口元層の不織布、光触媒、光触媒の添着等について詳細に説明する。
１．マスクを構成する層
（１）表層
本発明のマスクの表層は、微粒子や病原体を捕捉する層であり、かつ光触媒を添着して、病原体を死滅させる層であり、目付け重量が９〜２００ｇ／ｍ２のポリオレフィン不織布またはポリエステル不織布が用いられる。
なお、光触媒は、紫外線が当たることにより、光触媒反応が起こり、強力な酸化力を出現し、これにより病原体を死滅分解するので、光触媒効果を最大限に引き出すためにはマスクの外気側の表層に添着する必要がある。内層側の不織布に添着すると紫外線が十分に届かない場合があり、光触媒の効果を最大限に引き出すことができない。
また、ＳＡＲＳ、麻疹、水疱瘡、結核などの病原体は、患者の放出する咳、くしゃみ、たんなどの飛沫および飛沫が蒸発乾燥して非常に小さな粒子（飛沫核）となって空気中に再飛散する。したがって、マスク表面で病原体を含む飛沫（しぶき）及び飛沫核を捕捉・吸着することが重要である。
本発明で用いられるチタンアパタイト光触媒は、その構成成分たるヒドロキシアパタイトが蛋白質などを特異的に吸着する生体親和性を利用したもので、病原体を吸着し、一方の構成成分であるチタンが、有機物たる病原体を酸化分解する。
【手続補正５】
【補正対象書類名】明細書
【補正対象項目名】００３５
【補正方法】変更
【補正の内容】
【００３５】
２．光触媒
本発明で表層に添着される光触媒は、チタンとヒドロキシアパタイトを合成したチタンアパタイトである。アパタイト成分が蛋白質などを特異的に吸着する生体親和性を利用したもので、病原体を吸着し、一方の構成成分であるチタンが、有機物たる病原体を酸化分解するので、より安全性、光機能性の高い光触媒である。
本発明において用いる光触媒においては、チタン成分は、紫外線が当たることにより、ラジカルを発生し、この酸化力により病原体を分解・解毒することは勿論であるが、紫外線が十分に当たらない場合（夜間など）でも、アパタイト成分の吸着により病原体を吸着する機能を有しているため、両方の機能によって、病原体の感染リスクを著しく低減させることができる。本発明においては、このような吸着機能を併せもつ光触媒の使用が特に好ましい。
ここで、二酸化チタンに多孔質シリカを被覆した、いわゆるマスクメロン型光触媒は、多くの化学系または天然系抗菌剤と同様、吸着効果はないため、感染予防機能は不十分であるといえる。
【手続補正６】
【補正対象書類名】明細書
【補正対象項目名】００４１
【補正方法】変更
【補正の内容】
【００４１】
２．材料
（１）光触媒
光触媒は、チタンとカルシウムヒドロキシアパタイトを合成したものを水分散させて使用した。アパタイトを構成するカルシウム元素の一部がチタンで置換されたものである。
また、不織布にはアクリル系高分子化合物をバインダーとして上記に混合し、不織布への添着を確実にした。
（２）ＳＭＳ不織布
材質：ポリプロピレン
目付け重量：１８ｇ／ｍ２
構成内訳：スパンボンド層（繊維径：１５μｍ、目付け：７．５ｇ／ｍ２）／メルトブロー層（繊維径：３μｍ、目付け：３ｇ／ｍ２）／スパンボンド層（繊維径：１５μｍ、目付け：７．５ｇ／ｍ２）
耐水度：１００ｍＡｑ（ＪＩＳＬ−１０９２Ａ法に準拠）
表面摩擦：良好（ＪＩＳＬ−１０９６Ｈ法に準拠）
引張り強度：縦１８Ｎ／ｉｎｃｈ、横９Ｎ／ｉｎｃｈ
（３）メルトブロー不織布
材質：ポリプロピレン
目付け重量：３０ｇ／ｍ２
帯電処理：実施
通気度：３０ｃｃ／ｃｍ２／ｓｅｃ
平均繊維径：３μｍ
厚み：０．３９ｍｍ
ＮａＣｌ粒子捕集効率：８４％（平板状試料にて１５ｃｍ／ｓｅｃのエア流量にて測定。）
圧力損失：７５Ｐａ（同上の測定条件）
（４）スパンボンド不織布
材質：ポリプロピレン
目付け重量：７０ｇ／ｍ２
通気度：１１０ｃｃ／ｃｍ２／ｓｅｃ
平均繊維径：１５μｍ
厚み：０．４３ｍｍ
（５）スパンボンド不織布
材質：ポリプロピレン
目付け重量：２０ｇ／ｍ２
通気度：３６０ｃｃ／ｃｍ２／ｓｅｃ
厚み：０．２１ｍｍ
平均繊維径：約１５μｍ
（６）サーマルボンド不織布
材質：ポリエステル
目付け重量：１３０ｇ／ｍ２
通気度：１４０ｃｃ／ｃｍ２／ｓｅｃ
平均繊維径：２デシテックス
（７）サーマルボンド不織布
材質：ポリプロピレン（芯）・ポリエチレン（鞘）複合繊維
目付け重量：２０ｇ／ｍ２
平均繊維径：２デシテックス
（８）サーマルボンド不織布
材質：ポリプロピレン（芯）・ポリエチレン（鞘）複合繊維
目付重量：７５ｇ／ｍ２
平均繊維径：２デシテックス